(57)【特許請求の範囲】
【請求項１】
所望の範囲に雨水が落下することを防止するために、落下する雨水を捕捉する雨水捕捉方法であって、鉛直方向に所定幅を有する帯状の雨水捕捉材を水平方向に所定の移動速度で移動させることで、落下する雨水を雨水捕捉材により捕捉することを特徴とする雨水捕捉方法。
【請求項２】
請求項１記載の雨水捕捉方法において、雨水捕捉材を水平方向に所定の移動速度で直線移動させることを特徴とする雨水捕捉方法。
【請求項３】
請求項１記載の雨水捕捉方法において、雨水捕捉材を水平方向に所定の移動速度で回転移動させることを特徴とする雨水捕捉方法。
【請求項４】
所望の範囲に雨水が落下することを防止するために、落下する雨水を捕捉する雨水捕捉装置であって、鉛直方向に所定幅を有する帯状の雨水捕捉材を駆動装置により水平方向に所定の移動速度で移動させ、落下する雨水を雨水捕捉材により捕捉できるように構成したことを特徴とする雨水捕捉装置。
【請求項５】
請求項４記載の雨水捕捉装置において、雨水捕捉材を駆動装置により水平方向に所定の移動速度で直線往復移動させるように構成したことを特徴とする雨水捕捉装置。
【請求項６】
請求項４記載の雨水捕捉装置において、雨水捕捉材が駆動装置により水平方向に所定の移動速度で右方向への直線移動、下方への移動、左方向への直線移動、上方への移動をこの順序で繰り返されるように構成したことを特徴とする雨水捕捉装置。
【請求項７】
請求項４記載の雨水捕捉装置において、雨水捕捉材を駆動装置により水平方向に所定の移動速度で回転移動させるように構成したことを特徴とする雨水捕捉装置。
【請求項８】
請求項４〜７いずれか１項に記載の雨水捕捉装置を屋根として用いたことを特徴とする全天候型屋根。
【請求項９】
所望の範囲に雨水が落下することを防止するために、落下する雨水を捕捉する雨水捕捉方法であって、所定幅を有する帯状の雨水捕捉材を雨水に対して所定の角度方向に所定の移動速度で移動させることで、落下する雨水を雨水捕捉材により捕捉することを特徴とする雨水捕捉方法。
【請求項１０】
所望の範囲に雨水が落下することを防止するために、落下する雨水を捕捉する雨水捕捉装置であって、所定幅を有する帯状の雨水捕捉材を駆動装置により雨水に対して所定の角度方向に所定の移動速度で移動させ、落下する雨水を雨水捕捉材により捕捉できるように構成したことを特徴とする雨水捕捉装置。
【請求項１１】
請求項10記載の雨水捕捉装置を屋根として用いたことを特徴とする全天候型屋根。
【発明の詳細な説明】
【０００１】
【発明の属する技術分野】
本発明は、雨水捕捉方法及び雨水捕捉装置並びに全天候型屋根に関するものである。
【０００２】
【従来の技術及び発明が解決しようとする課題】
従来、イベント用の仮設屋根や工事現場などに設置する仮設屋根などとして、テント方式のものや支柱上端部にシートを設けるなどしたものが適宜使用されている。
【０００３】
しかしながら、従来の仮設屋根は、設置，解体作業が大変であると共に、晴天時には仮設屋根は不要であるのに、仮設屋根を解体することが大変である為、仮設屋根を設置したままの状態で作業を行っており、この場合には仮設屋根が作業上じゃまになったり、暗くて風通しが悪いなど環境上の問題が生じたり、仮設屋根を解体する必要がある場合には、晴天時には仮設屋根を解体し、雨天時には仮設屋根を設置するという仮設屋根の設置及び解体作業を繰り返し行う必要があり、仮設屋根の設置、解体作業に伴う作業工数が余分にかかるという問題がある。
【０００４】
本発明は、前記従来の課題を解決するためになされたものであり、雨天時、晴天時における仮設屋根の設置、解体を不要とし、晴天時において仮設屋根を解体しなくとも仮設屋根を設置していない状態に近い環境にすることができる非常に実用性に秀れた雨水捕捉方法及び雨水捕捉装置並びに全天候型屋根を提供するものである。
【０００５】
【課題を解決するための手段】
添付図面を参照して本発明の要旨を説明する。
【０００６】
所望の範囲に雨水が落下することを防止するために、落下する雨水を捕捉する雨水捕捉方法であって、鉛直方向に所定幅を有する帯状の雨水捕捉材１を水平方向に所定の移動速度で移動させることで、落下する雨水を雨水捕捉材１により捕捉することを特徴とする雨水捕捉方法に係るものである。
【０００７】
また、請求項１記載の雨水捕捉方法において、雨水捕捉材１を水平方向に所定の移動速度で直線移動させることを特徴とする雨水捕捉方法に係るものである。
【０００８】
また、請求項１記載の雨水捕捉方法において、雨水捕捉材１を水平方向に所定の移動速度で回転移動させることを特徴とする雨水捕捉方法に係るものである。
【０００９】
また、所望の範囲に雨水が落下することを防止するために、落下する雨水を捕捉する雨水捕捉装置であって、鉛直方向に所定幅を有する帯状の雨水捕捉材１を駆動装置２により水平方向に所定の移動速度で移動させ、落下する雨水を雨水捕捉材１により捕捉できるように構成したことを特徴とする雨水捕捉装置に係るものである。
【００１０】
また、請求項４記載の雨水捕捉装置において、雨水捕捉材１を駆動装置２により水平方向に所定の移動速度で直線往復移動させるように構成したことを特徴とする雨水捕捉装置に係るものである。
【００１１】
また、請求項４記載の雨水捕捉装置において、雨水捕捉材１が駆動装置２により水平方向に所定の移動速度で右方向への直線移動させ、下方への移動、左方向への直線移動、上方への移動をこの順序で繰り返されるように構成したことを特徴とする雨水捕捉装置に係るものである。
【００１２】
また、請求項４記載の雨水捕捉装置において、雨水捕捉材１を駆動装置２により水平方向に所定の移動速度で回転移動させるように構成したことを特徴とする雨水捕捉装置に係るものである。
【００１３】
また、請求項４〜７いずれか１項に記載の雨水捕捉装置を屋根として用いたことを特徴とする全天候型屋根に係るものである。
【００１４】
また、所望の範囲に雨水が落下することを防止するために、落下する雨水を捕捉する雨水捕捉方法であって、所定幅を有する帯状の雨水捕捉材１を雨水に対して所定の角度方向に所定の移動速度で移動させることで、落下する雨水を雨水捕捉材１により捕捉することを特徴とする雨水捕捉方法に係るものである。
【００１５】
また、所望の範囲に雨水が落下することを防止するために、落下する雨水を捕捉する雨水捕捉装置であって、所定幅を有する帯状の雨水捕捉材１を駆動装置２により雨水に対して所定の角度方向に所定の移動速度で移動させ、落下する雨水を雨水捕捉材１により捕捉できるように構成したことを特徴とする雨水捕捉装置に係るものである。
【００１６】
また、請求項10記載の雨水捕捉装置を屋根として用いたことを特徴とする全天候型屋根に係るものである。
【００１７】
【発明の作用及び効果】
鉛直方向に所定幅を有する帯状の雨水捕捉材１を水平方向に所定の移動速度で移動させるから、雨天時上方から落下してくる雨水を雨水捕捉材１により確実に捕捉することができ、雨水捕捉材１を移動させる範囲には雨水が雨水捕捉材１の下方に落下することを確実に防止することができる。尚、最も効果的に雨水を捕捉すべく、雨水の落下角度を考慮して雨水捕捉材１を移動させると良い。
【００１８】
また、鉛直方向に所定幅を有する帯状の雨水捕捉材１を駆動装置２により水平方向に所定の移動速度で移動させるように構成したから、雨天時上方から落下してくる雨水を雨水捕捉材１により確実に捕捉することができるように、駆動装置２により雨水捕捉材１を水平方向に所定の移動速度で移動させることができ、雨水捕捉材１を移動させる範囲には雨水が雨水捕捉材１の下方に落下することを確実に防止することができる。尚、最も効果的に雨水を捕捉すべく、雨水の落下角度を考慮して雨水捕捉材１を移動させると良い。
【００１９】
また、請求項４〜７いずれか１項に記載の雨水捕捉装置を屋根として用いたから、雨水捕捉装置を設置した範囲には、雨水が雨水捕捉材１の下方に落下することを確実に防止することができ、晴天時には雨水捕捉装置の駆動装置２の稼動を停止し、雨水捕捉材１の移動を停止させると、雨水捕捉材１の移動範囲には雨水捕捉材１の配設部分以外が空間となり、この空間部から光や風などが通過するから、雨水捕捉装置を設置したままの状態で明るく風通しの良い非常に環境が良好な状態にすることができ、従来のような雨天時、晴天時における仮設屋根の設置、解体を不要とし、晴天時においても雨水捕捉装置を設置したままの状態で雨水捕捉装置を設置していない状態に近い環境にすることができ、非常に実用性に秀れた全天候型屋根とすることができる。
【００２０】
尚、晴天時においても雨水捕捉材１を移動させることで、内部に風を取り入れることができ、内部の日差しが強過ぎる場合には、雨水捕捉材１を適宜傾けることで太陽光線の一部をカットすることができ、晴天時においても雨水捕捉装置を有効に活用することができる。
【００２１】
【発明の実施の形態】
本発明の一実施例に係る雨水捕捉方法及び雨水捕捉装置並びに全天候型屋根に関して以下図面に基づき説明する。
【００２２】
本実施例は図１〜図７に図示したように、所望の範囲に雨水が落下することを防止するために、落下する雨水を捕捉する雨水捕捉装置２であって、所定幅を有する帯状の雨水捕捉材１を駆動装置２により所定の移動速度で移動させ、落下する雨水を雨水捕捉材１により捕捉できるように構成したものである。雨水捕捉材１は、最も効果的に雨水を捕捉すべく、雨水の落下角度を考慮して配設する。尚、適宜な手段により雨水捕捉材１の配設角度を可変可能に構成すると良い。
【００２３】
図１は、雨水捕捉材１を駆動装置２により水平方向に所定の移動速度で直線往復移動させるように構成した雨水捕捉装置の基本概念を示したものであり、雨水捕捉材１を水平方向に所定の移動速度で直線往復移動させるための駆動装置２としては、例えば、クランク装置を用い、このクランク装置をいわゆるハート型カム機構とすることで雨水捕捉材１を等速で往復移動させることができ、これにより雨天時上方から落下してくる雨水を雨水捕捉材１により確実に捕捉することができる。図２は、雨水捕捉材１が駆動装置２により水平方向に所定の移動速度で右方向への直線移動、下方への移動、左方向への直線移動、上方への移動をこの順序で繰り返されるように、つまり、雨水捕捉材１が上下にループを形成するよう移動させるように構成した雨水捕捉装置の基本概念を示したものであり、図３は、雨水捕捉材１を駆動装置２により水平方向に所定の移動速度で回転移動させるように構成した雨水捕捉装置の基本概念を示したものであり、支柱４の上端部の回りに複数の雨水捕捉材１を等間隔に適宜設け、支柱４を駆動装置２により回転させることで支柱４の上端部に取り付けた雨水捕捉材１を回転移動させるように構成している。
【００２４】
図４，図５は図１に図示した雨水捕捉装置の基本概念を用いて、全天候型の屋根として使用した場合について図示したものであり、雨水の落下を防止したい所望の範囲に雨水捕捉材１を駆動装置２により水平方向に所定の移動速度で直線往復移動させるようにしたものである。
【００２５】
具体的な構造は次の通りである。
【００２６】
二本の支柱５を所定の間隔を置いて立設し、この二本の支柱５の上端部間にガイド部材８を架設して前側支持部を設け、一方、この前側支持部に対して所定の間隔Ｌ1を介して同構造の後側支持部を設け、この前側支持部のガイド部材８及び後側支持部のガイド部材８内に駆動装置２により水平方向に所定の移動速度で直線往復移動できる連結部材３を設け、この前側支持部の連結部材３と後側支持部の連結部材３との間に所定間隔Ｌ2を置いて七個の連結部材７を設け、各連結部材７に雨水捕捉材１を垂下状態で設けたものである。
【００２７】
雨水捕捉材１で捕捉した雨水は、雨水捕捉材１の下端部に設けた水受け６に流れるように構成し、この水受け６に流れた雨水が雨水捕捉材１の一端方向に流れ易くするために、雨水捕捉材１の両側に設けた支柱５のうち一方の支柱５のガイド部材８取り付け部分を高く、他方の支柱５のガイド部材８取り付け部分を低くなるように設定し、雨水捕捉材１の下端部に設けた水受け６が傾斜状態になるように設置し、水受け６の一端部に流れた雨水を支柱５に適宜設けた排水溝９に流れるように構成し、排水溝９に流れた雨水を適宜地面に流出させるように構成している。
【００２８】
雨水捕捉材１の材料は、メッシュ材，不織布，繊毛材など雨水を吸収し易く弾きにくいものが良く（空気は通すが水を通さない材料が良い）、雨水捕捉材１を直線往復移動させる場合などにメッシュ材を使用する場合には、両面にメッシュ材を設けた二重ネット方式にすると、効率良く雨水を捕捉することができる。
【００２９】
尚、メッシュ材などの材料を用いてネット状にした雨水捕捉材１を用いる場合には、雨水捕捉材１をフレキシブルで軽量なものとすることができるが、メッシュ材をネット状にしたものを雨水捕捉材１として吊り下げて使用する場合には、雨水捕捉材１が風雨により折れ曲がったりしないように雨水捕捉材１の上端部に連結部材７としてワイヤーロープなどを設けて雨水捕捉材１の構造的強度を高めるようにしており、風雨により雨水捕捉材１が傾いたりしないように、両面にメッシュ材を設けた二重ネット方式の場合には、両面のメッシュ材の間に鋼材などを配設して雨水捕捉材１の構造的強度を高めるようにすることもできる。
【００３０】
また、雨水を雨水捕捉材１で確実に捕捉することができるように、雨水捕捉材１の幅寸法、複数の雨水捕捉材１の配設離間距離、雨水捕捉材１の移動速度などを適宜設定する。
【００３１】
図６，図７は、図３に図示した雨水捕捉装置の基本概念を用いて、全天候型の屋根として使用した場合について図示したものであり、雨水の落下を防止したい所望の範囲に雨水捕捉材１を駆動装置２により水平方向に所定の移動速度で回転移動させるようにしたものである。
【００３２】
具体的な構造は次の通りである。
【００３３】
四本の支柱５を略正方形の角部位置に立設し、この四本の支柱５の上端部に円形状のガイド部材８を適宜架設し、このガイド部材８内に駆動装置２により水平方向に所定の移動速度で回転移動できる連結部材３を設け、この連結部材３の内側に前記円形状のガイド部材８の略中央部に設けた覆体10と連結部材３との間に所定間隔をおいて八個の連結部材７を放射状に設け、各連結部材７に雨水捕捉材１を垂下状態で設けたものである。
【００３４】
雨水捕捉材１で捕捉した雨水は、雨水捕捉材１の下端部に設けた水受け６に流れるように構成し、この水受け６に流れた雨水は雨水捕捉材１の回転移動による遠心力により水受け６の外周方向に流れ、この水受け６の外周方向に流れた雨水を支柱５に適宜設けた排水溝９に流れるように構成し、排水溝９に流れた雨水を適宜地面に流出させるように構成している。
【００３５】
尚、図６，７に図示した回転移動方式の全天候型屋根においては、回転中心部及び外周部に適宜テントなどの覆体10を設けており、また、全天候型屋根を適宜移動できるように、支柱５の下端部に車輪12を設け、この車輪12が回動して移動できるように車輪12の下端部を係止するレール11を設けている。
【００３６】
前記雨水捕捉装置を全天候型の屋根として使用する場合、雨水捕捉材１の移動速度を高速移動させることで、雨水捕捉材１の取り付け間隔を広げることができ、従来の屋根全面を覆う場合などに比べて、屋根の重量を軽量化することができる。
【００３７】
また、前述の実施例における雨水には、雪などを含んでおり、雪などに対応する場合には、雨水捕捉材１に雪を熱などにより融かすための融雪装置を付設すると、より効果的に雪に対応することができる。
【００３８】
本実施例は、以上のように、所定幅を有する帯状の雨水捕捉材１を水平方向に所定の移動速度で移動させるから、雨天時上方から落下してくる雨水を雨水捕捉材１により確実に捕捉することができ、雨水捕捉材１を移動させる範囲には雨水が雨水捕捉材１の下方に落下することを確実に防止することができる。
【００３９】
また、所定幅を有する帯状の雨水捕捉材１を駆動装置２により水平方向に所定の移動速度で移動させるように構成したから、雨天時上方から落下してくる雨水を雨水捕捉材１により確実に捕捉することができるように、駆動装置２により雨水捕捉材１を水平方向に所定の移動速度で移動させることができ、雨水捕捉材１を移動させる範囲には雨水が雨水捕捉材１の下方に落下することを確実に防止することができる。
【００４０】
また、本実施例の雨水捕捉装置を屋根として用いたから、雨水捕捉装置を設置した範囲には、雨水が雨水捕捉材１の下方に落下することを確実に防止することができ、晴天時には雨水捕捉装置の駆動装置２の稼動を停止し、雨水捕捉材１の移動を停止させると、雨水捕捉材１の移動範囲には雨水捕捉材１の配設部分以外が空間となり、この空間部から光や風などが通過するから、雨水捕捉装置を設置したままの状態で明るく風通しの良い非常に環境が良好な状態にすることができ、従来のような雨天時、晴天時における仮設屋根の設置、解体を不要とし、晴天時においても雨水捕捉装置を設置したままの状態で雨水捕捉装置を設置していない状態に近い環境にすることができ、非常に実用性に秀れた全天候型屋根とすることができる。
【００４１】
尚、晴天時においても雨水捕捉材１を移動させることで、内部に風を取り入れることができ、内部の日差しが強過ぎる場合には、雨水捕捉材１を適宜傾けることで太陽光線の一部をカットすることができ、晴天時においても雨水捕捉装置を有効に活用することができる。
【００４２】
さらに、雨天時あるいは晴天時において、雨水捕捉材１を移動させている場合においても、雨水捕捉材１は所定間隔をおいて配設しているから、採光や空気流入が可能であり、従来のように、雨天時あるいは晴天時に屋根の全面を覆っているために、照明装置の設置や換気装置の設置が必要というようなことはなく、雨水捕捉材１を稼動している場合も、停止している場合も、いずれの場合にも屋根を形成している雨水捕捉装置から内部に光や空気の取り込みが可能であり、雨天時、晴天時共に良好な採光や空気の取り込みが可能であり、常に環境が良好な全天候型屋根とすることができる。
【００４３】
尚、本実施例は屋根としての利用のほか、換気扇，送風機若しくはライトフィルターなどにも利用し得るものである。
【図面の簡単な説明】
【図１】本発明の一実施例に係る雨水捕捉装置の基本概念を示す説明図である。
【図２】本発明の別実施例に係る雨水捕捉装置の基本概念を示す説明図である。
【図３】本発明のさらに別実施例に係る雨水捕捉装置の基本概念を示す説明図である。
【図４】本発明の一実施例に係る全天候型屋根の基本概念を示す正面図である。
【図５】本発明の一実施例に係る全天候型屋根の基本概念を示す側面図である。
【図６】本発明の別実施例に係る全天候型屋根の基本概念を示す正面図である。
【図７】本発明の別実施例に係る全天候型屋根の基本概念を示す側面図である。
【符号の説明】
１  雨水捕捉材
２  駆動装置
【図１】
0003789661.tif 000002
【図２】
0003789661.tif 000003
【図３】
0003789661.tif 000004
【図４】
0003789661.tif 000005
【図５】
0003789661.tif 000006
【図６】
0003789661.tif 000007
【図７】
0003789661.tif 000008